(57)【要約】【課題】外観が良好で箱体強度が維持され、使用後は簡単な操作で折り畳んで廃棄することができる易廃棄機能付包装用箱を提供する。【解決手段】一枚のブランクシートから一体的に打ち抜かれた箱体形成片１２から成る。互いに連接された側面１４，１６，１８，２０と、側面１４と折罫線４０を介して連接され箱体形成片１２の組立状態で側面１４，１６，１８，２０により形成された開口部を閉鎖する内側底蓋片３８とを備える。内側底蓋片３８が設けられた側面１４に対して略平行に位置する側面１８に折罫線６０を介して連接され、内側底蓋片３８の表面に糊付けされる外側底蓋片５８を備える。外側底蓋片５８には、連接された側面１８と反対側の先端部の近傍に内側底蓋片３８との糊付部５８ａを有し、糊付部５８ａと側面１８との折罫線６０の間に、１本の直線状の切込線６２を備える。【選択図】図１
2010013128.tif 000002
【特許請求の範囲】
【請求項１】
一枚のブランクシートから一体的に打ち抜かれた箱体形成片から成り、この箱体形成片には、互いに連接された側面と、前記側面の１つに折罫線を介して連接され前記箱体形成片の組立状態で前記側面により形成された開口部を閉鎖する内側底蓋片と、前記内側底蓋片が設けられた前記側面に対して略平行に位置する側面に折罫線を介して連接され前記内側底蓋片の表面に糊付けされる外側底蓋片が設けられ、前記外側底蓋片には、連接された前記側面と反対側の先端部の近傍に前記内側底蓋片との糊付部が設けられ、前記糊付部と前記側面との前記折罫線の間に、１本の直線状の切込線が設けられていることを特徴とする易廃棄機能付包装用箱。
【請求項２】
前記切込線は、前記外側底蓋片と前記側面の間の折罫線に対して平行に形成され、前記切込線は、前記外側底蓋片の前記側面との間の折罫線に交差する一対の側縁部に連続し、前記側縁部と前記切込線が交差する角部は面取り状に切り欠かれていることを特徴とする請求項１記載の易廃棄機能付包装用箱。
【発明の詳細な説明】
【技術分野】
【０００１】
この発明は、廃棄用の切込線が設けられている易廃棄機能付包装用箱に関する。
【背景技術】
【０００２】
従来、商品を収納する包装用箱に、使用が終わったときに折り畳んで破棄するための切込線が設けられた易廃棄機能付包装用箱があった。例えば、特許文献１から特許文献５に開示されている易廃棄機能付包装用箱は、複数枚の側面で筒状の箱体に形成され、箱体の底部の開口部は、一枚の側面に折罫線を介して連接された内側底蓋片で閉鎖され、内側底蓋片の外側には、内側底蓋片が連接された側面に対して略平行に位置する側面に折罫線を介して連接された外側底蓋片が重ねられている。そして外側底蓋片の、連接された側面と反対側の先端部分が、内側底蓋片に糊付けされている。外側底蓋片には、連接された側面と糊付けされた部分との間に分割用の切込線が設けられている。そして、このような易廃棄機能付包装用箱は使用済みになったとき、切込線を切断し、切込線よりも先端側の部分が内側底蓋片に糊付けされた状態で分離し底部が分割される。底部が分割されると各側面の形状維持機能が解除され、組立前の折り畳み状態と同様に折り畳まれ、平坦になり破棄しやすくなる。
【０００３】
このような易廃棄機能付包装用箱の外側底蓋片の切込線はいろいろな形状で設けられている。特許文献１と特許文献２の切込線は、側方から斜めに、外側底蓋片が延出した側面と外側底蓋片の間の折罫線の中間付近に近づき、折罫線の両端部付近は折罫線から離れるＶ字形に形成されている。そして、折罫線の中間の頂点には、切込線に隣接する透孔が形成されている。この易廃棄機能付包装用箱を破棄するときは、外側底蓋片の透孔に指を入れて切込線の頂点を摘み、折罫線から離れる方向へ引きながら切込線を切断し、外側底蓋片を２個に分割するものである。また、特許文献３の切込線は、外側底蓋片の側面との間の折罫線の中間付近が折罫線から離れ、折罫線の両端部付近は折罫線に近づく逆Ｖ字形に形成されている。逆Ｖ字形の頂点は外側底蓋片の先端部分に連通している。この易廃棄機能付包装用箱を破棄するときは、外側底蓋片の先端部分に位置する切込線の頂点を摘み、折罫線に近づく方向へ引きながら切込線を切断するものである。また、特許文献４と特許文献５の切込線は、外側底蓋片の側面との間の折罫線に対して平行に２本の切込線が設けられ、外側底蓋片の折罫線に交差する一対の側縁部に連通している。この易廃棄機能付包装用箱を破棄するときは、外側底蓋片の側縁部に位置する一対の切込線の内側部分を摘み、折罫線に対して平行に引きながら切込線を切断するものである。
【特許文献１】特開２００５−１０４５２８号公報
【特許文献２】特開２００４−３１５０１０号公報
【特許文献３】実開平３−８１８１９号公報
【特許文献４】特開平６−２４７４６６号公報
【特許文献５】実開平５−２２３６３号公報
【発明の開示】
【発明が解決しようとする課題】
【０００４】
上記背景技術の、切込線の形状がＶ字形または逆Ｖ字形の場合は、引く方向と切込線を切断する方向が異なるため、Ｖ字形の一方しか切断しないことや切込線以外の部分が破断することがあり、きれいに切断しないことがあった。また、切込線が２本設けられた場合は、易廃棄機能付包装用箱の外側底蓋片の強度が低下する問題と、２本の切込線により外観がよくないという問題があった。また、２本の切込線の内側部分は切断した後に帯状のゴミになり、後始末が面倒であり、易廃棄機能付包装用箱と一体に資源として回収できないためムダになっていた。
【０００５】
この発明は、上記背景技術の問題点に鑑みてなされたものであり、外観が良好で箱体強度が維持され、使用後は簡単な操作で折り畳んで廃棄することができる易廃棄機能付包装用箱を提供することを目的とする。
【課題を解決するための手段】
【０００６】
本発明は、一枚のブランクシートから一体的に打ち抜かれた箱体形成片から成り、この箱体形成片には、互いに連接された側面と、前記側面の１つに折罫線を介して連接され前記箱体形成片の組立状態で前記側面により形成された開口部を閉鎖する内側底蓋片と、前記内側底蓋片が設けられた前記側面に対して略平行に位置する側面に折罫線を介して連接され前記内側底蓋片の表面に糊付けされる外側底蓋片が設けられている易廃棄機能付包装用箱である。前記外側底蓋片には、連接された前記側面と反対側の先端部の近傍に前記内側底蓋片との糊付部が設けられ、前記糊付部と前記側面との前記折罫線の間に、１本の直線状の切込線が設けられている。
【０００７】
また、前記切込線は、前記外側底蓋片と前記側面の間の折罫線に対して平行に形成され、前記切込線は、前記外側底蓋片の前記側面との間の折罫線に交差する一対の側縁部に連続し、前記側縁部と前記切込線が交差する角部は面取り状に切り欠かれている。
【発明の効果】
【０００８】
本発明の易廃棄機能付包装用箱は、外観が良好で箱体強度が低下することなく維持され、使用後は簡単な操作で折り畳んで破棄することができる。破棄するときは外側底蓋片を１本の切込線で綺麗に切断して２分割し、ゴミを出すことなく折り畳んでコンパクトにして廃棄処分や資源回収をすることができる。
【発明を実施するための最良の形態】
【０００９】
以下、この発明の実施形態について図面に基づいて説明する。図１〜図４はこの発明の一実施形態を示すもので、この実施形態の易廃棄機能付包装用箱１０は、紙製の一枚のブランクシートを打ち抜いて形成された箱体形成片１２を組み立てて設けられている。図２は箱体形成片１２を表面から見た展開図であり、箱体形成片１２は、側面１４，１６，１８，２０が、互いに平行に連接して形成されている。側面１４，１６，１８，２０はほぼ同じ大きさの矩形であり、連接している幅方向は連接方向の長さよりも長く形成されている。さらに、側面１４の側縁部には、易廃棄機能付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１０】
側面１４において、側面どうしの連接方向に対して直角な方向の一端部には、内側上蓋片３２が折罫線３４で区切られて設けられている。内側上蓋片３２の折罫線３４の反対側の端部は、さらに差込片３５が折罫線３６で区切られて設けられている。折罫線３６の両端部には、差込片３５が後述するフラップ４２，６４と係止しやすいように短い切込線が設けられている。側面１４の、折罫線３４と反対側の端部には、台形状の内側底蓋片３８が折罫線４０で区切られて設けられている。内側底蓋片３８は、箱体形成片１２を組立状態で側面１４，１６，１８，２０により形成された底部の開口部よりもわずかに小さい形状である。
【００１１】
側面１６の、側面１４の折罫線３４に隣接する端部には、矩形のフラップ４２が折罫線４４で区切られて設けられている。フラップ４２は、折罫線２８に近い側縁部の先端の角部が斜めに切り欠かれている。側面１６の折罫線４４と反対側の端部には、矩形のフラップ４６が折罫線４８で区切られて設けられている。
【００１２】
側面１８の、折罫線４４に隣接する端部には、台形状の外側上蓋片５０が破断線５２で区切られて設けられている。外側上蓋片５０は、側面１４，１６，１８，２０で作られた上部の開口部よりもわずかに小さい形状である。破断線５２の中間部分は、側面１８の内側にコの字形に折り曲げられ、コの字形の中側部分は破断線５２を切断するときの押し部５４となる。押し部５４は、側面１８の端部に沿って折罫線５６が設けられて外側上蓋片５０と区切られている。
【００１３】
側面１８の、破断線５２と反対側の端部には、台形状の外側底蓋片５８が折罫線６０で区切られて設けられている。外側底蓋片５８の、折罫線６０に近い部分には１本の切込線６２が設けられている。切込線６２は、折罫線６０に対してほぼ平行な直線であり、外側底蓋片５８の折罫線６０に交差する一対の側縁部に連通し、一方の側縁部と切込線６２が交差してできる一対の角部６３は、面取り状に切り欠かれている。外側底蓋片５８の、切込線６２よりも先端側の部分は内側底蓋片３８に糊付けされる糊付部５８ａであり、切込線６２よりも折罫線６０側の部分は基端部５８ｂとする。
【００１４】
側面２０の、破断線５２に隣接する端部には、矩形のフラップ６４が折罫線６６で区切られて設けられている。フラップ６４は、折罫線３０に近い側縁部の先端の角部が斜めに切り欠かれている。側面２０の折罫線６６と反対側の端部には、矩形のフラップ６８が折罫線７０で区切られて設けられている。
【００１５】
次に、この実施形態の易廃棄機能付包装用箱１０の組立方法の一例について説明する。なお、ここでは図２が易廃棄機能付包装用箱１０の箱体形成片１２の表面を見たものであり、箱体形成片１２の表面が凸になる折り方を正折り、そして裏面が凸になる折り方を逆折りと称する。
【００１６】
まず、折罫線２６を正折りし、糊付片２２の表面に糊７２を塗布し、さらに折罫線３０を正折りし、側面２０の裏面が糊７２により糊付片２２の表面に糊付けされ、図３に示すように折り畳んだ状態となる。この状態で出荷される。次に、商品を収容し包装する工場等において、折罫線２４，２６，２８，３０を各々９０度に正折りして四角形の箱体にする。次に内側底蓋片３８の表面の、折罫線４０近傍に折罫線４０のほぼ全長に渡って糊７４を塗布し、折罫線４８，７０でフラップ４６，６８を正折りし、その後折罫線４０で内側底蓋片３８を正折りし、その外側に折罫線６０で外側底蓋片５８を正折りして、外側底蓋片５８の裏面が糊７４により内側底蓋片３８の表面に糊付けされ底部が形成される。
【００１７】
この状態で箱体内に商品を入れる。次に内側上蓋片３２の表面の、折罫線３４近傍に折罫線３４のほぼ全長に渡って糊７６を塗布する。罫線４４，６６でフラップ４２，６４を正折りし、その後内側上蓋片３２を折罫線３４で正折りし、差込片３５を折罫線３６で正折りし、差込片３５を側面１８の裏面側に差し込んで係止する。次に破断線５２と破断線５２に連続する折罫線５６で外側上蓋片５０を正折りし、内側上蓋片３２の外側面に重ねる。すると、外側上蓋片５０の裏面が糊７６により内側上蓋片３２の表面に糊付けされ上面が形成される。
【００１８】
この実施形態の易廃棄機能付包装用箱１０によれば、使用後は簡単な操作で折り畳んでコンパクトにして廃棄処分や資源回収をすることができる。破棄するときは外側底蓋片５８を切込線６２で綺麗に切断して２分割し折り畳むことができる。切り取られるパーツがなく、２分割された外側底蓋片５８は、糊付部５８ａは内側底蓋片３８に糊付けされ基端部５８ｂは側面１８に連接したまま残るため、箱体形成片１２と一体に折り畳まれ、小さいゴミを出すことなく、有効に資源を回収することができる。切込線６２は一本を端部から切断していくので、切込線が２本設けられたものやＶ字形の中心から両端部に向かって切断していくものに比べて力がかからず、容易に切断することができる。外側底蓋片５８の一方の側縁部と切込線６２が交差してできる一対の角部６３は、面取り状に切り欠かれているため、糊付部５８ａをつまんで引くだけで簡単に切込線６２を切断することができる。さらに、切込線６２がシンプルな直線状の形状であるため、外観が良好である。切込線６２が1本しか設けられず長さもできるだけ短くされているため、箱体強度が低下することなく維持される。しかも、側面１６，２０の間隔が狭い場合にも、容易に適用することができる。また、簡単な構造であるため、自動包装に対応することができ、組立工程の効率が良い。
【００１９】
なお、この発明の易廃棄機能付包装用箱は上記実施形態に限定されず、切込線のミシン目の間隔や形状等は自由に変更可能である。また、いろいろな構造の包装用箱に使用することができ、仕切り片や吊下げ片等が設けられた包装用箱でもよい。易廃棄機能付包装用箱の素材は、紙以外に、合成樹脂や、合成樹脂と紙を積層したもの等、自由に選択可能である。
【図面の簡単な説明】
【００２０】
【図１】この発明の一実施形態の易廃棄機能付包装用箱の使用状態を示す斜視図（ａ）と、使用後に廃棄する工程を示す斜視図（ｂ）である。
【図２】この実施形態の易廃棄機能付包装用箱の展開図である。
【図３】この実施形態の易廃棄機能付包装用箱の組立状態を示す図である。
【図４】の実施形態の易廃棄機能付包装用箱の廃棄する状態を示す図である。
【符号の説明】
【００２１】
１０  易廃棄機能付包装用箱
１２  箱体形成片
１４，１６，１８，２０  側面
２２  糊付片
３８  内側底蓋片
５８  外側底蓋片
５８ａ  糊付部
６２  切込線
７２，７４，７６  糊
【図１】
2010013128.tif 000003
【図２】
2010013128.tif 000004
【図３】
2010013128.tif 000005
【図４】
2010013128.tif 000006